(57)【要約】    【課題】移動通信端末機において、二重帯域アンテナを用いてＧＰＳ及びＤＭＢ信号を受信する。    【解決手段】ＣＤＭＡ信号及びＤＭＢ信号を受信可能なＣＤＭＡ−ＤＭＢ二重帯域アンテナ２１、ＤＭＢ信号及びＧＰＳ信号を受信可能なＤＭＢ−ＧＰＳ二重帯域アンテナ２２、ＣＤＭＡ−ＤＭＢ二重帯域アンテナ２１で受信された信号からＣＤＭＡ信号又はＤＭＢ信号を分岐する第１のダイプレクサ２３、ＤＭＢ−ＧＰＳ二重帯域アンテナ２２で受信された信号からＤＭＢ信号又はＧＰＳ信号を分岐する第２のダイプレクサ２４、第１のダイプレクサ２３及び／又は第２のダイプレクサ２４から伝達されたＤＭＢ信号を受信するＤＭＢチップセット２９及び第１のダイプレクサ２３から伝達されたＣＤＭＡ信号及び／又は第２のダイプレクサ２４から伝達されたＧＰＳ信号を受信する無線受信チップセット３０を備える構成とする。【選択図】図１
2006148938.tif 000002
【特許請求の範囲】
【請求項１】
ＣＤＭＡ信号及びモバイル放送信号を受信可能な第１の受信経路を形成する第１受信経路形成部と、
モバイル放送信号及びＧＰＳ（Global Position System）信号を受信可能な第２の受信経路を形成する第２受信経路形成部と、
前記第１受信経路形成部及び前記第２受信経路形成部の少なくとも一方を介して伝達されたモバイル放送信号を受信するモバイル放送用チップセットと、
前記第１受信経路形成部を介して伝達されたＣＤＭＡ信号及び前記第２受信経路形成部を介して伝達されたＧＰＳ信号の少なくとも一方を受信する無線受信用チップセットと、
を備えることを特徴とする移動通信端末機。
【請求項２】
前記第１の受信経路形成部は、
前記ＣＤＭＡ信号及び前記モバイル放送信号を受信可能なＣＤＭＡ−モバイル放送二重帯域アンテナと、
前記ＣＤＭＡ−モバイル放送二重帯域アンテナによって受信された信号からＣＤＭＡ信号とモバイル放送信号とを選択する第１のダイプレクサと、を有し、
前記第２の受信経路形成部は、
前記モバイル放送信号及び前記ＧＰＳ信号を受信可能なモバイル放送信号−ＧＰＳ二重帯域アンテナと、
前記ＣＤＭＡ−モバイル放送二重帯域アンテナによって受信された信号からモバイル放送信号とＧＰＳ信号とを選択する第２のダイプレクサと、を有することを特徴とする請求項１に記載の移動通信端末機。
【請求項３】
前記第２のダイプレクサにより選択されたＧＰＳ信号を帯域通過させるバンドパスフィルタ（Band Pass Filter）をさらに備えることを特徴とする請求項２に記載の移動通信端末機。
【請求項４】
ＣＤＭＡ信号及びモバイル放送信号を受信可能なＣＤＭＡ−モバイル放送二重帯域アンテナと、
モバイル放送信号及びＧＰＳ信号を受信可能なモバイル放送−ＧＰＳ二重帯域アンテナと、
前記ＣＤＭＡ−モバイル放送二重帯域アンテナによって受信されたＣＤＭＡ信号とモバイル放送信号とを分岐する第１の手段と、
前記モバイル放送−ＧＰＳ二重帯域アンテナで受信されたモバイル放送信号とＧＰＳ信号とを分岐する第２の手段と、
前記第１の手段から出力されたモバイル放送信号と、前記第２の手段から出力されたモバイル放送信号とのうち、信号品質がより良好なモバイル放送信号を選択して出力する第３の手段と、
備えることを特徴とする移動通信端末機。
【請求項５】
前記第２の手段から出力されたＧＰＳ信号を帯域通過させるバンドパスフィルタをさらに備えることを特徴とする請求項４に記載の移動通信端末機。
【請求項６】
前記第１の手段は、入力されるモード選択制御信号に応じて、前記ＣＤＭＡ信号及び前記モバイル放送信号の少なくとも一方を出力することを特徴とする請求項４に記載の移動通信端末機。
【請求項７】
前記第２の手段は、入力されるモード選択制御信号に応じて、前記モバイル放送信号及び前記ＧＰＳ信号の少なくとも一方を出力することを特徴とする請求項４に記載の移動通信端末機。
【請求項８】
前記第１の手段は、ダイプレクサを含んで構成されることを特徴とする請求項４に記載の移動通信端末機。
【請求項９】
前記第２の手段は、ダイプレクサを含んで構成されることを特徴とする請求項４に記載の移動通信端末機。
【請求項１０】
前記モバイル放送は、デジタルマルチメディア放送（ＤＭＢ）であることを特徴とする請求項１〜９のいずれか一つに記載の移動通信端末機。
【請求項１１】
ＣＤＭＡ−モバイル放送二重帯域アンテナによって受信されたＣＤＭＡ信号とモバイル放送信号とを分岐するステップと、
モバイル放送−ＧＰＳ二重帯域アンテナによって受信されたモバイル放送信号とＧＰＳ信号とを分岐するステップと、
前記両分岐ステップで分岐されたモバイル放送信号の品質を比較するステップと、
前記比較の結果、信号品質が良好なモバイル放送信号を選択するステップと、
を含むことを特徴とする移動通信端末機の信号受信方法。
【請求項１２】
前記両分岐ステップは、モード選択制御信号により選択的に受信経路を形成するダイプレクサにより行われることを特徴とする請求項１１に記載の移動通信端末機の信号受信方法。
【請求項１３】
前記モバイル放送は、デジタルマルチメディア放送（ＤＭＢ）であることを特徴とする請求項１１又は請求項１２に記載の移動通信端末機の信号受信方法。
【発明の詳細な説明】
【技術分野】
【０００１】
本発明は、移動通信端末機に関し、より詳しくは、二重帯域アンテナを介して受信される無線信号間の干渉を防止しつつ、ＧＰＳ及びモバイル放送信号を受信できるようにした移動通信端末機及び移動通信端末機の信号受信方法に関する。
【背景技術】
【０００２】
モバイル放送の規格としては、米国Ｑｕａｌｃｏｍｍ社の「ＦＬＯ（Forward Link Only）」、ヨーロッパＮｏｋｉａ社の「ＤＶＢ−Ｈ（Digital Video Broadcast-Handheld）」、ヨーロッパの「デジタルオーディオ放送（ＤＡＢ）」を基盤とする韓国の「デジタルマルチメディア放送（ＤＭＢ；Digital Multimedia Broadcasting）」などがある。以下では、その中から「ＤＭＢ」を選択して説明するが、これはモバイル放送規格の一例を示したものに過ぎず、本発明の適用を制限するものではない（従って、本明細書における「ＤＭＢ」は「モバイル放送」と同義である）。
【０００３】
ＤＭＢは、移動中であっても、高画質の映像とＣＤ（コンパクトディスク）並みの音楽とをいつでもどこでも鑑賞することができる放送を意味する。このＤＭＢは、現在の移動通信技術（携帯電話技術等）と統合されて、移動通信端末機を介してＤＭＢサービスを提供できる技術としても注目されている。
図２は、従来の移動通信端末機におけるＣＤＭＡ信号とＤＭＢ信号とを受信するための構成を示すブロック図である。図２に示すように、従来は、移動通信端末機を介してＣＤＭＡ通信及びＤＭＢサービスを利用するために、移動通信端末機は、ＣＤＭＡ−ＤＭＢ二重帯域アンテナ１１とＤＭＢアンテナ１２とを別々に備えている。
【０００４】
図２において、ＣＤＭＡ−ＤＭＢ二重帯域アンテナ１１で受信された信号は、モード選択制御信号に応じて、ダイプレクサ（diplexer）１３によってＣＤＭＡ信号とＤＭＢ信号とに分離される。ＣＤＭＡ信号は、ＣＤＭＡ−ＲＦ経路（CDMA RF path）１４を介して無線周波数受信（ＲＦＲ；Radio Frequency Receiver）チップセット１７に入力され、ＤＭＢ信号は、第１のＤＭＢ−ＲＦ経路（DMB RF path）１５を介してＤＭＢチップセット１８に入力される。一方、ＤＭＢアンテナ１２で受信されたＤＭＢ信号は、第２のＤＭＢ−ＲＦ経路１６を介してＤＭＢチップセット１８に入力される。ここで、ＤＭＢチップセット１８は、無線感度がより良好な経路から入力されたＤＭＢ信号を選択するようになっている。
【発明の開示】
【発明が解決しようとする課題】
【０００５】
ところで、上記従来の移動通信端末機において、ＤＭＢ放送の受信のみならず、ＧＰＳ（Global Positioning System）機能も利用できるようにするためには、例えば、上記ＣＤＭＡ−ＤＭＢ二重帯域アンテナ１１に代えてＣＤＭＡ−ＤＭＢ−ＧＰＳ三重帯域アンテナとし、ＳＰ３Ｔ（Single Pole 3 Terminal）スイッチなどにより三重のスイッチングを行うようにするか、あるいは、単独のＧＰＳアンテナを取り付けて（新たに追加して）これを使用するようにしなければならない。
【０００６】
しかしながら、上記三重帯域アンテナを使用する場合には、１．５７ＧＨｚ帯域のＧＰＳ信号と８２４ＭＨｚ〜８９６ＭＨｚ帯域のＣＤＭＡ信号との間の一次干渉信号が２．３９ＧＨｚ〜２．４７ＧＨｚ帯域に位置して、２．６ＧＨｚ帯域のＤＭＢ（衛星）信号に影響を及ぼすようになり、また、ＣＤＭＡ信号とＤＭＢ（衛星）信号との間の一次干渉信号が１．７８ＧＨｚ〜１．７０ＧＨｚ帯域に位置して１．５７ＧＨｚ帯域のＧＰＳ信号に影響を及ぼすようになるという問題がある。
【０００７】
また、単独のＧＰＳアンテナを取り付けてこれを使用する場合には、一つの移動通信端末機に三つのアンテナが相互共存しなければならないことから、無線感度上、互いに妨害（干渉）するダイポール（dipole）の役割をするようになり、無線感度の低下をもたらすという問題点がある。
【０００８】
本発明は、以上のような従来の問題を解決するためになされたものであり、その目的は、二重帯域アンテナを用いて（受信される信号間の干渉を防止しつつ）、ＧＰＳ及びＤＭＢ信号を受信することができる移動通信端末機及びその信号受信方法を提供することにある。
【課題を解決するための手段】
【０００９】
上記目的を達成するために、本発明による移動通信端末機は、ＣＤＭＡ信号及びモバイル放送信号を受信可能な第１の受信経路を形成する第１受信経路形成部と、モバイル放送信号及びＧＰＳ信号を受信可能な第２の受信経路を形成する第２受信経路形成部と、前記第１受信経路形成部及び前記第２受信経路形成部の少なくとも一方を介して伝達されたモバイル放送信号を受信するモバイル放送用チップセットと、前記第１受信経路形成部を介して伝達されたＣＤＭＡ信号及び前記第２受信経路形成部を介して伝達されたＧＰＳ信号の少なくとも一方を受信する無線受信用チップセットと、を備えることを特徴とする。
【００１０】
また、本発明による移動通信端末機の細部構成としては、例えば、前記第１受信経路形成部が、ＣＤＭＡ信号及びモバイル放送信号を受信可能なＣＤＭＡ−モバイル放送信号二重帯域アンテナと、前記ＣＤＭＡ−モバイル放送信号二重帯域アンテナによって受信された信号からＣＤＭＡ信号とモバイル放送信号とを選択する第１のダイプレクサと、を有し、前記第２受信経路形成部が、モバイル放送信号及びＧＰＳ信号を受信可能なモバイル放送信号−ＧＰＳ二重帯域アンテナと、前記ＣＤＭＡ−モバイル放送信号二重帯域アンテナによって受信された信号からモバイル放送信号とＧＰＳ信号とを選択する第２のダイプレクサと、を有するものが考えられる。ここで、第１のダイプレクサ、第２のダイプレクサは、それぞれ入力されるモード選択制御信号等に応じて、受信された信号からＣＤＭＡ信号とモバイル放送信号とを選択（分離）し、受信された信号からモバイル放送信号とＧＰＳ信号とを選択（分離）するようにしてもよい。
【００１１】
また、本発明による移動通信端末機は、ＣＤＭＡ信号及びモバイル放送信号を受信可能なＣＤＭＡ−モバイル放送信号二重帯域アンテナと、モバイル放送信号及びＧＰＳ信号を受信可能なモバイル放送信号−ＧＰＳ二重帯域アンテナと、前記ＣＤＭＡ−モバイル放送信号二重帯域アンテナによって受信されたＣＤＭＡ信号とモバイル放送信号とを分岐する第１の手段と、前記モバイル放送信号−ＧＰＳ二重帯域アンテナによって受信された信号からモバイル放送信号又はＧＰＳ信号を分岐する第２の手段と、前記第１の手段から出力されたモバイル放送信号と前記第２の手段から出力されたモバイル放送信号とのうち、信号品質がより良好な（いずれか一方の）モバイル放送信号を選択して出力する第３の手段と、を備えることを特徴とする。
【００１２】
さらに、本発明による移動通信端末機を用いた信号受信方法は、ＣＤＭＡ−モバイル放送信号二重帯域アンテナによって受信されたＣＤＭＡ信号とモバイル放送信号とを分岐するステップと、モバイル放送信号−ＧＰＳ二重帯域アンテナによって受信されたモバイル放送信号とＧＰＳ信号とを分岐するステップと、前記両分岐ステップで分岐されたモバイル放送信号の品質を比較するステップと、前記比較の結果、信号品質が良好な（いずれか一方の）モバイル放送信号を選択するステップと、を含むことを特徴とする。
【００１３】
また、本発明による移動通信端末機を用いた信号受信方法の細部構成として、例えば、前記両分岐ステップが、モード選択制御信号により選択的に受信経路を形成する（あるいは、モード選択制御信号により受信信号を分離・選択する）ダイプレクサにより行われるようにしてもよい。
【発明の効果】
【００１４】
本発明による移動通信端末機及び移動通信端末機の信号受信方法によれば、ＣＤＭＡ、ＧＰＳ及びモバイル放送信号（ＤＭＢ）のそれぞれの帯域間に周波数のばらつきによる干渉が生じる可能性のある三重帯域アンテナを使用しないことでアンテナによって受信される無線信号間の干渉を防ぎながら、ＣＤＭＡ及びＤＭＢを受信可能な二重帯域アンテナとは別に、ＤＭＢ受信用として付加的に取り付けられるアンテナを、ＧＰＳ信号も受信可能な二重帯域アンテナに構成して、両方の（二重帯域）アンテナに受信される信号から、ＣＤＭＡ、ＧＰＳ及びモバイル放送信号を（ダイプレクサ等によって）分離・選択することにより、干渉のない無線信号受信が可能であり、ＣＤＭＡ通信はもちろん、移動通信端末機における良質のＤＭＢ及びＧＰＳサービスの受信が可能であるという効果がある。
【発明を実施するための最良の形態】
【００１５】
以下、本発明による移動通信端末機及びこれを用いた信号受信方法の好適な実施形態について、添付の図面に基づいて詳細に説明する。これによって、本発明の構成、作用、及びその他の特徴が、容易に理解されるであろう。
【００１６】
図１は、本発明による移動通信端末機の好適な一実施形態の構成を示すブロック図である。図１に示すように、本発明の好適な一実施形態による移動通信端末機は、ＣＤＭＡ信号及びＤＭＢ信号を受信可能なＣＤＭＡ−ＤＭＢ二重帯域アンテナ２１と、ＤＭＢ信号及びＧＰＳ信号を受信可能なＤＭＢ−ＧＰＳ二重帯域アンテナ２２と、ＣＤＭＡ−ＤＭＢ二重帯域アンテナ２１によって受信されたＣＤＭＡ信号とＤＭＢ信号とを分岐する（あるいは、受信された信号からＣＤＭＡ信号とＤＭＢ信号とを分離・選択する）第１のダイプレクサ（1st diplexer）２３と、ＤＭＢ−ＧＰＳ二重帯域アンテナ２２によって受信されたＤＭＢ信号とＧＰＳ信号とを分岐する（あるいは、受信された信号からＤＭＢ信号とＧＰＳ信号とを分離・選択する）第２のダイプレクサ（2nd diplexer）２４と、第１のダイプレクサ２３から出力されたＤＭＢ信号と第２のダイプレクサ２４から出力されたＤＭＢ信号とのうち、信号品質がより良好ないずれか一方のＤＭＢ信号を選択してデータ処理するＤＭＢチップセット（DMB chipset）２９と、第１のダイプレクサ２３から出力されＲＦ経路(Radio Frequency；ＲＦ  ｐａｔｈ)を介して信号処理されたＣＤＭＡ信号、及び／又は、第２のダイプレクサ２４から出力されＲＦ経路を介して信号処理されたＧＰＳ信号をベースバンド信号に変換する無線周波数受信用チップセット（以下「無線受信チップセット（Radio reception chipset）」という）３０と、第２のダイプレクサ２４から出力されたＧＰＳ信号を帯域通過させるＧＰＳバンドパスフィルタ（GPS band pass filter）２８と、を含んで構成される。ここで、無線受信チップセット３０としては、例えば、Ｑｕａｌｃｏｍｍ社のＲＦＲチップセットを使用することができる。
【００１７】
図１において、ＣＤＭＡ−ＲＦ経路（CDMA RF path）２５は、第１のダイプレクサ２３から出力されたＣＤＭＡ信号が無線受信チップセット３０に伝達されるまでの経路であり、第１のＤＭＢ−ＲＦ経路（1st DMB RF path）２６は、第１のダイプレクサ２３から出力されたＤＭＢ信号がＤＭＢチップセット２９に伝達されるまでの経路であり、第２のＤＭＢ−ＲＦ経路（2nd DMB RF path）２７は、第２のダイプレクサ２４から出力されたＤＭＢ信号がＤＭＢチップセット２９に伝達されるまでの経路である。また、ＭＳＭ３２は、移動通信端末機の基本機能である音声通話はもちろん、短文メッセージ支援、各種のマルチメディア機能支援、インターネット機能などの様々な機能及びアプリケーションを駆動させるプロセッサーチップである。なお、ＣＤＭＡ−ＲＦ経路２５、第１のＤＭＢ−ＲＦ経路２６及び第２のＤＭＢ−ＲＦ経路２７は、公知の技術を用いてもよい。
【００１８】
以下、図１に示す本発明による移動通信端末機の好適な一実施形態の動作について説明する。ＣＤＭＡ−ＤＭＢ二重帯域アンテナ２１によって受信された信号は、第１のダイプレクサ２３によって、ＣＤＭＡ信号とＤＭＢ信号とに分離される（受信された信号からＣＤＭＡ信号とＤＭＢ信号とが選択される）。第１のダイプレクサ２３から出力されたＣＤＭＡ信号は、ＣＤＭＡ−ＲＦ経路２５を介して信号処理されて無線受信チップセット３０に入力される。第１のダイプレクサ２３から出力されたＤＭＢ信号は、第１のＤＭＢ−ＲＦ経路２６を介して信号処理されてＤＭＢチップセット２９に入力される。
ここで、第１のダイプレクサ２３がスイッチング手段などを備えることによって、ＣＤＭＡ−ＤＭＢ二重帯域アンテナ２１によって受信された信号から、ＣＤＭＡ信号のみ又はＤＭＢ信号のみを選択して出力できるように構成してもよい。このようにすると、図１に示すように、例えば、モード選択制御信号に応じて（スイッチング手段などを制御することで）ＣＤＭＡ信号及びＤＭＢ信号、ＣＤＭＡ信号のみ、又は、ＤＭＢ信号のみを選択して出力（分岐）することが可能となる。
【００１９】
一方、ＤＭＢ−ＧＰＳ二重帯域アンテナ２２によって受信された信号は、第２のダイプレクサ２４によって、ＤＭＢ信号とＧＰＳ信号とに分離される（受信された信号からＤＭＢ信号とＧＰＳ信号とが選択される）。第２のダイプレクサ２４から出力されたＤＭＢ信号は、第２のＤＭＢ−ＲＦ経路２７を介して信号処理されてＤＭＢチップセット２９に入力される。第２のダイプレクサ２４から出力されたＧＰＳ信号は、ＧＰＳバンドパスフィルタ２８により帯域通過されて無線受信チップセット３０に入力される。
ここで、第１のダイプレクサ２３と同様に、第２のダイプレクサ２４がスイッチング手段などを備えることによって、ＤＭＢ−ＧＰＳ二重帯域アンテナ２２によって受信された信号から、ＤＭＢ信号のみ又はＧＰＳ信号のみを選択して出力できるように構成してもよい。これにより、図１に示すように、例えば、モード選択制御信号に応じて、ＤＭＢ信号及びＧＰＳ信号、ＤＭＢ信号のみ、又は、ＧＰＳ信号のみを選択した出力（分岐）することが可能となる。
【００２０】
無線受信チップセット３０は、入力されたＣＤＭＡ信号及び／又はＧＰＳ信号をベースバンド信号に変換してＭＳＭ３２に伝達する。かかる無線受信チップセット３０としては、例えば、ＲＦＲ（無線周波数受信）チップセットを用いることができるが、この場合、ＲＦＲチップセットは、ＲＦ信号であるＣＤＭＡ信号及び／又はＧＰＳ信号を、チップ自体に内蔵されたＶＣＯ（電圧制御発信回路）から出力されるローカル信号（local signal）と混合してベースバンド信号に変換する。
ＤＭＢチップセット２９は、第１のＤＭＢ−ＲＦ経路２６から入力されたＤＭＢ信号と、第２のＤＭＢ−ＲＦ経路２７から入力されたＤＭＢ信号とのうち、信号品質がより良好なＤＭＢ信号を選択してベースバンド信号に変換し、変換した信号をＭＳＭ３２に伝達する。なお、入力されたＤＭＢ信号が一つの場合は、そのＤＭＢ信号をベースバンド信号に変換してＭＳＭ３２に伝達することになる。
【００２１】
ＭＳＭ３２は、ベースバンド信号に変換されたＣＤＭＡ信号、ＤＭＢ信号及びＧＰＳ信号の伝達を受けて、これらを移動通信端末機の応用プログラムに利用できるようにデータ処理する。
【００２２】
本発明は、本発明の精神及び必須的な特徴を逸脱しない範囲内で、他の特定の形態に具体化できることは当業者にとって自明である。したがって、以上の詳細な説明は、あらゆる面から制限的に解釈されてはならず、例示的なものとして考慮すべきである。本発明の範囲は、特許請求の範囲の合理的解析により決定されなければならず、本発明の等価的範囲内での全ての変更は本発明の範囲に含まれる。
【図面の簡単な説明】
【００２３】
【図１】本発明の好適な一実施形態に係る移動通信端末機の構成を示すブロック図である。
【図２】従来技術による移動通信端末機の構成を示すブロック図である。
【符号の説明】
【００２４】
２１    ＣＤＭＡ−ＤＭＢ二重帯域アンテナ
２２    ＤＭＢ−ＧＰＳ二重帯域アンテナ
２３    第１のダイプレクサ
２４    第２のダイプレクサ
２５    ＣＤＭＡ−ＲＦ経路
２６    第１のＤＭＢ−ＲＦ経路
２７    第２のＤＭＢ−ＲＦ経路
２８    ＧＰＳバンドパスフィルタ
２９    ＤＭＢチップセット
３０    無線受信チップセット
【図１】
2006148938.tif 000003
【図２】
2006148938.tif 000004